(57)【要約】【課題】球状物品の取り出しの再現性を高めることを可能とした球状物品取出装置を提供する。【解決手段】収納空間１３０の床面を成すガイド台１１０に形成された開口部１２２から落下した球状カプセルを、外ケース１０の正面に形成された取出口に向けて誘導する排出路を備えると共に、開口部１２２と排出路の上端開口との間に介装され且つ前後方向に進退することで該開口部と該上端開口との間を連通・非連通とするための貫通穴７７を有するスライド部を備える。収納空間１３０の床面は外ケースとは独立したシート材からなり、且つ球状カプセルが通過可能な開口部に向けて傾斜した傾斜面を形成する床面板から構成される。スライド部は第１の部材からなり、排出路は第１の部材の下方に配置される第２の部材からなる。床面板に形成される開口部は、該床面板を外ケースの背面板に向けて開口する切欠部から形成されている。【選択図】図１０
2014237474.tif 000002
【特許請求の範囲】
【請求項１】
外ケース内の上部に球状物品が収納可能な収納空間が形成され、前記収納空間の床面に形成された開口部から落下した球状物品を、前記外ケースの正面に形成された取出口に向けて誘導する排出路を備えると共に、前記開口部と前記排出路の上端開口との間に介装され且つ前後方向に進退することで該開口部と該上端開口との間を連通・非連通とするための貫通穴を有するスライド部を備え、
前記収納空間の床面は前記外ケースとは独立したシート材からなり、且つ前記球状物品が通過可能な前記開口部に向けて傾斜した傾斜面を形成する床面板から構成され、
前記スライド部は、前記床面板の下方に配置され、且つ前記貫通穴を有する第１の部材からなり、
前記排出路は、前記第１の部材の下方に配置される第２の部材からなり、
前記床面板に形成される前記開口部は、該床面板を前記外ケースの内側壁に向けて開口する切欠部から形成されていることを特徴とする球状物品取出装置。
【請求項２】
前記排出路の前記上端開口と前記貫通穴の下端とが非連通のときに、前記第１の部材の後端上部から前記外ケースの内側壁に向けて斜め上方に延在する迫出板を有し、該迫出板の先端は前記外ケースに取り付けられることを特徴とする請求項１に記載の球状物品取出装置。
【請求項３】
前記外ケースの内壁部と少なくとも前記第１の部材との間に配置されて、該第１の部材の左右への横ずれを防止する第３の部材、をさらに備えることを特徴とする請求項１又は請求項２に記載の球状物品取出装置。
【請求項４】
前記外ケースの正面板には、前記取出口と、前記スライド部の操作部を引き出すための引出口とを構成するための正面切欠部が形成されていることを特徴とする請求項１から請求項３の何れか一項に記載の球状物品取出装置。
【発明の詳細な説明】
【技術分野】
【０００１】
本発明は、球状物品取出装置に関し、特に、球状物品の取り出しの再現性を高めることを可能とした球状物品取出装置に関する。
【背景技術】
【０００２】
従来から、装置本体の収納空間に収納した複数個の球状カプセルを一つずつ取り出すことが可能な物品取出装置が知られている。また、例えば特許文献１、２には、組立式の物品取出装置（容器）が開示されている。
【先行技術文献】
【特許文献】
【０００３】
【特許文献１】実開昭５７−６３０２８号公報
【特許文献２】実開昭５７−６３０２９号公報
【発明の概要】
【発明が解決しようとする課題】
【０００４】
特許文献１、２等に開示された従来の物品取出装置では、球状カプセルを収納する収納空間の床面が、その中央を下に傾斜した傾斜面となっていた。つまり、収納空間の床面が中央に向かって下に傾斜したすり鉢状の傾斜面となっていた。そして、この底面のほぼ中央に、球状カプセルよりも若干大きめの開口部が設けられていた。これにより、収納空間に収納された球状カプセルは、中央に向かって回転しながら移動し、中央の開口部から下へ一つずつ落下するようになっていた。
【０００５】
ここで、従来の物品取出装置では、例えば図１２に示すように、複数個の球状カプセル１４０が３６０°の全周から開口部２２２付近に集まって互いに接触し、干渉し合って、どの球状カプセル１４０も開口部２２２から下へ落下できなくなる場合があった。球状カプセル１４０が開口部２２２から落下しないと、物品取出装置から球状カプセルを取り出すことができない。
そこで、この発明はこのような事情に鑑みてなされたものであって、球状物品の取り出しの再現性を高めることを可能とした球状物品取出装置の提供を目的とする。
【課題を解決するための手段】
【０００６】
上記課題を解決するために、本発明の一態様に係る球状物品取出装置は、外ケース内の上部に球状物品が収納可能な収納空間が形成され、前記収納空間の床面に形成された開口部から落下した球状物品を、前記外ケースの正面に形成された取出口に向けて誘導する排出路を備えると共に、前記開口部と前記排出路の上端開口との間に介装され且つ前後方向に進退することで該開口部と該上端開口との間を連通・非連通とするための貫通穴を有するスライド部を備え、前記収納空間の床面は前記外ケースとは独立したシート材からなり、且つ前記球状物品が通過可能な前記開口部に向けて傾斜した傾斜面を形成する床面板から構成され、前記スライド部は、前記床面板の下方に配置され、且つ前記貫通穴を有する第１の部材からなり、前記排出路は、前記第１の部材の下方に配置される第２の部材からなり、前記床面板に形成される前記開口部は、該床面板を前記外ケースの内側壁に向けて開口する切欠部から形成されていることを特徴とする。
【０００７】
ここで、球状物品は、完全な球体に限定されるものではない。球状物品は、球体の他、例えば楕円状の物品でもよい。或いは、球状物品は、球状に近い多角形の物品でもよく、例えば、傾斜面を転がりながら移動できる程度の多角形の物品でもよい。また、切欠部は、床面板の縁の一辺を切欠いた形状（例えば、図７（ｂ）参照。）でもよく、また、床面板の角を切欠いた形状（例えば、図１１（ａ）参照。）でもよい。
また、上記の球状物品取出装置において、前記排出路の前記上端開口と前記貫通穴の下端とが非連通のときに、前記第１の部材の後端上部から前記外ケースの内側壁に向けて斜め上方に延在する迫出板を有し、該迫出板の先端は前記外ケースに取り付けられることを特徴としてもよい。
【０００８】
また、上記の球状物品取出装置において、前記外ケースの内壁部と少なくとも前記第１の部材との間に配置されて、該第１の部材の左右への横ずれを防止する第３の部材、をさらに備えることを特徴としてもよい。
また、上記の球状物品取出装置において、前記外ケースの正面板には、前記取出口と、前記スライド部の操作部を引き出すための引出口とを構成するための正面切欠部が形成されていることを特徴としてもよい。
【発明の効果】
【０００９】
本発明の一態様によれば、収納空間の床面の開口部は、外ケースの内側壁に隣接する。これにより、外ケースの中央に開口部が位置する場合と比べて、球状物品が開口部に集まる範囲を狭くすることができ、例えば、その範囲を外ケースの内壁部から内側の１８０°に制限することができる。これにより、複数個の球状物品が開口部の周辺で互いに接触し、干渉し合うことを抑制することができ、球状物品を開口部から下へ容易に落下させることができる。従って、球状物品の取り出しの再現性を高めることができる。
【図面の簡単な説明】
【００１０】
【図１】実施形態に係る組立式の球状カプセル取出装置１００の構成例を示す図である。
【図２】球状カプセル取出装置１００を構成する各部と、その配置例を示す図である。
【図３】外ケース１０の構成例を示す図である。
【図４】排出路４０の構成例を示す図である。
【図５】スライド部６０の構成例を示す図である。
【図６】サイドブロック９０の構成例を示す図である。
【図７】ガイド台１１０の構成例を示す図である。
【図８】球状カプセル取出装置１００の動作例を示す図である。
【図９】球状カプセル取出装置１００の動作例を示す図である。
【図１０】本実施形態の効果の一つを説明するための図である。
【図１１】本実施形態の変形例を示す図である。
【図１２】課題を説明するための図である。
【発明を実施するための形態】
【００１１】
以下、本発明の実施形態を詳細に説明する。なお、以下に説明する各図において、同一の構成を有する部分には同一の符号を付し、その繰り返しの説明は省略する。
＜構成＞
（全体構成）
図１（ａ）及び（ｂ）は、本発明の実施形態に係る組立式の球状カプセル取出装置１００の構成例を示す斜視図である。なお、図１（ｂ）と、後述の図８（ａ）、図９（ａ）では、外ケース１０の内部を示すために蓋板１６を開くと共に、蓋板１６、正面板１２、側面板１１、側面板舌片１５の各一部を省略して示している。
【００１２】
図１（ａ）及び（ｂ）に示す球状カプセル取出装置１００は、予め設定した（即ち、所定の）剛性を有するシートからなる台や箱を用いて組み立てられた組立式の装置である。所定の剛性を有するシートとして、例えば、厚紙、段ボールなどの紙製シート、又はプラスチック製シートなどを用いることができる。この球状カプセル取出装置１００では、第１の部材（例えば、第１の箱体）からなるスライド部６０を前後方向にスライドさせることによって、外ケース１０内の上部の収納空間に収納した複数個の球状カプセルを、外ケース１０の正面板１２に設けられた取出口３０から一個ずつ取り出すことが可能となっている。なお、球状カプセルは例えばプラスチック製の容器であり、その中に玩具等が収納されている。
【００１３】
図２は、球状カプセル取出装置１００を構成する各部と、その配置例を模式的に示す斜視図である。図２に示すように、球状カプセル取出装置１００は、立体形状が例えば六面体である外ケース１０と、外ケース１０の底部に配置される第２の部材（例えば、第２の箱体）からなる排出路４０と、外ケース１０内で排出路４０上に配置される第１の部材からなるスライド部６０と、外ケース１０内で排出路４０及びスライド部６０の左右両側に配置される一対の第３の部材（例えば、第３の箱体）からなるサイドブロック９０と、外ケース１０内でスライド部６０上及びサイドブロック９０上に配置されて収納空間の床面を構成するガイド台１１０とを備える。
【００１４】
例えば、外ケース１０内に、排出路４０、スライド部６０、サイドブロック９０、ガイド台１１０の各部品がこの順で配置されることにより、球状カプセル取出装置１００が組み立てられる。次に、上記の各部品ついて、詳しく説明する。
【００１５】
（外ケース）
図３（ａ）及び（ｂ）は、外ケース１０の構成例を示す展開図と、斜視図である。なお、図３（ａ）では、山折線を一点鎖線で示している。
図３（ａ）及び（ｂ）に示すように、外ケース１０は、例えば、厚紙、段ボールなどの紙製シート、又はプラスチック製シートを折り曲げて形成される。外ケース１０を構成するシートでは、例えば、六面体のうち四面を構成する側面板１１と、正面板１２と、側面板１３と、背面板１４とが一方向（例えば、図３（ａ）の横方向）において山折線を介して連設している。
【００１６】
側面板１１と、正面板１２と、側面板１３と、背面板１４の一方向と直交する他方向（例えば、図３（ａ）の縦方向）の一端（例えば、上端）にはそれぞれ、山折線を介して側面板舌片１５、蓋板１６、側面板舌片１７、背面板舌片１８が連設している。また、蓋板１６の先端には山折線を介して蓋板舌片１９が設けられている。背面板舌片１８には、貫通した端片挿入口（例えば、スリット）２０が設けられている。
【００１７】
側面板１１と、正面板１２と、側面板１３と、背面板１４の他方向の他端（例えば、下端）にはそれぞれ、山折線を介して側面底板２１、正面底板２２、側面底板２３、背面底板２４が連接している。正面底板２２及び背面底板２４にはそれぞれ切込２５、２６が設けられている。また、背面板１４の側面板１３と連設する側の反対側（例えば、左側）には山折線を介して貼着片２７が連設している。また、正面板１２には、取出口３０と、スライド部６０を前方向に引き出すための引出口３１とを形成するための（即ち、取出口３０と引出口３１を構成する正面切欠部３２を形成するための）切込２８が設けられている。
【００１８】
図３（ａ）に示すシートから外ケース１０を組み立てる際は、該シートを各山折線に沿って山折りして、外ケース１０の概形を形成する。また、正面板１２の切込に接する折曲片２９を紙面奥方向に押し込んで山折りし、取出口３０を形成する。さらに、側面底板２１、２３の各端片２１ａ、２３ａを切込２５、２６に差し込み掛合して、底が抜けないように固定する。また、貼着片２７を側面板１１の縁辺に糊付けする。これにより、図３（ｂ）に示すように、外ケース１０を組み立てることができる。
【００１９】
（排出路）
図４（ａ）及び（ｂ）は、排出路４０の構成例を示す展開図と、斜視図である。なお、図４（ａ）では、山折線を一点鎖線で示し、谷折線を点線で示している。
図４（ａ）及び（ｂ）に示すように、排出路４０は、例えば、厚紙、段ボールなどの紙製シート、又はプラスチック製シートを折り曲げて形成される。排出路４０を構成するシートでは、例えば、排出路４０の側面部を構成する下面板４１と、側面板４２と、上面板４３と、側面板４４とが一方向（例えば、図４（ａ）の縦方向）において山折線を介して連設している。
【００２０】
下面板４１の一方向と直交する他方向（例えば、図４（ａ）の横方向）の一端（例えば、左端）には、山折線を介して妻板４５と傾斜底板４６とが連設している。また、側面板４２、４４の他方向の一端（例えば、左端）にはそれぞれ、谷折線を介して側面板舌片４７、４８が連設している。さらに、側面板４４の上面板４３と連設する側の反対側（例えば、下側）には山折線を介して貼着片４９が連設している。
【００２１】
図４（ｂ）に示すように、傾斜底板４６は、下面板４１に対して傾斜した底板である。傾斜底板４６上に置かれた球状カプセルは、重力により、傾斜底板４６の傾斜面下側（即ち、前側）に向けて回転しながら移動する。また、傾斜側板５０は、球状カプセルが傾斜底板４６上から外れないようにガイドする側板である。なお、傾斜底板４６の先端には、掛合用の端片４６ａが設けられている。また、この傾斜底板４６の先端付近には、掛合用の貫通した挿入口（例えば、スリット）４６ｂが設けられている。
【００２２】
上面板４３には、折曲片５１を折り曲げて上端開口５２を設けるための切込５３が設けられている。上端開口５２は、排出路４０の上端を貫通する開口である。また、この折曲片５１を折り曲げることにより、傾斜底板４６の傾斜面上側（即ち、後側）を塞ぐことができ、上端開口５２から落下してくる球状カプセルが、その落下の勢いで傾斜面上側へ転がることを防ぐことができる。また、この折曲片５１には、傾斜底板４６の端片４６ａを掛合するための貫通した差入口５４が設けられている。この差入口５４の縁辺には、前述の挿入口４６ｂに掛合するための凸部５５が設けられている。
【００２３】
図４（ａ）に示すシートから排出路４０を組み立てる際は、該シートを山折線で山折りし、谷折線で谷折して、排出路４０の概形を形成する。また、上面板４３の折曲片５１を紙面奥方向に押し込んで山折りする。さらに、傾斜底板４６の端片４６ａを折曲片５１の差入口５４に差し入れて掛合する。また、差入口５４の凸部５５を端片４６ａの挿入口４６ｂに挿入して掛合する。さらに、貼着片４９を下面板４１の縁辺に糊付けする。これにより、図４（ｂ）に示すように、前側に傾斜した傾斜底板４６を有する排出路４０を組み立てることができる。
【００２４】
（スライド部）
図５（ａ）及び（ｂ）は、スライド部６０の構成例を示す展開図と、斜視図である。なお、図５（ａ）では、山折線を一点鎖線で示し、谷折線を点線で示している。
図５（ａ）及び（ｂ）に示すように、スライド部６０は、例えば、厚紙、段ボールなどの紙製シート、又はプラスチック製シートを折り曲げて形成される。スライド部６０を構成するシートでは、例えば、スライド部６０の側面部を構成する下面板６１と、側面板６２と、上面板６３と、側面板６４とが一方向（例えば、図５（ａ）の縦方向）において山折線を介して連設している。下面板６１の一方向と直交する他方向（例えば、図５（ｂ）の横方向）の一端（例えば、左端）には、谷折線を介して舌片６５が連設している。また、下面板６１の側面板６２と連接する側の反対側（例えば、上側）には山折線を介して貼着片６６が連設している。さらに、下面板６１の中央よりも右側には、貫通した差入口（例えば、スリット）６７が設けられている。
【００２５】
側面板６２の他方向の両端（例えば、左端と右端）にはそれぞれ、山折線を介して側面板舌片６８、６９が連設している。また、側面板舌片６９には、その先端に鉤状の端片６９ａが設けられている。
上面板６３の他方向の一端（例えば、左端）には、山折線を介して、正面板７０舌片が連設し、その先端には山折船を介して舌片７１が設けられている。正面板７０には、例えば、ユーザーの指先等を差し込むための貫通した開口部を形成するための折曲片７２が山折線を介して設けられている。また、正面板７０と舌片７１との境界には切込７３が設けられている。スライド部６０を組み立てる際は、この切込７３に上記の舌片６５が差し込まれて掛合される。
【００２６】
さらに、上面板６３の他方向の他端（例えば、右端）には、谷折線を介して迫出板７４が連設している。また、迫出板７４の先端（例えば、右端）には端片７５が連設している。この迫出板７４の端片７５は、球状カプセル取出装置１００を組み立てる際に、その両側端７５ａを山折りした状態で、上述した外ケース１０の端片挿入口２０（例えば、図３（ａ）参照。）に挿入して掛合される。さらに、上面板６３には、折曲片７６を山折りして、上下に貫通した貫通穴７７を設けるための切込７８が設けられている。
側面板６４の他方向の両端（例えば、左端と右端）にはそれぞれ、山折線を介して側面板舌片７９、８０が連設している。また、側面板舌片８０には、その先端に鉤状の端片８０ａが設けられている。
【００２７】
図５（ａ）に示すシートからスライド部６０を組み立てる際は、該シートを山折線で山折りし、谷折線で谷折りして、スライド部６０の概形を形成する。また、側面板舌片６９、８０の各端片６９ａ、８０ａを互いに掛合して、貫通穴７７の後側に側面板舌片６９、８０からなる側部を形成する。さらに、折曲片７６を紙面奥方向に押し込んで山折りすると共に、その端片７６ａを下面板６１の差入口６７に差し入れて掛合する。これにより、スライド部６０に上下に貫通した貫通穴７７を形成すると共に、貫通穴７７の前側に折曲片７６からなる側部を形成する。また、舌片６５を切込７３に差し込んで掛合する。また、折曲片７２を紙面奥方向に押し込んで正面板７０に貫通した引掛口８１を形成する。さらに、貼着片６６を側面板６４の縁辺に糊付けする。これにより、図５（ｂ）に示すようなスライド部６０を組み立てることができる。
【００２８】
（サイドブロック）
図６（ａ）及び（ｂ）は、サイドブロック９０の構成例を示す展開図と、斜視図である。なお、図６（ａ）では、山折線を一点鎖線で示し、谷折線を点線で示している。図６（ａ）及び（ｂ）に示すように、サイドブロック９０は、例えば、厚紙、段ボールなどの紙製シート、又はプラスチック製シートを折り曲げて形成される。サイドブロック９０を構成するシートでは、例えば、六面体のうち四面を構成する側面板９１と、妻板９２と、側面板９３と、妻板９４とが一方向（例えば、図６（ａ）の横方向）において山折線を介して連設している。
【００２９】
側面板９１と、妻板９２と、側面板９３と、妻板９４の一方向と直交する他方向（例えば、図６（ａ）の縦方向）の一端（例えば、上端）にはそれぞれ、山折線を介して側面蓋板９５、妻板舌片９６、側面蓋板９７、妻板舌片９８が連設している。また、側面板９１と、妻板９２と、側面板９３と、妻板９４の他方向の他端（例えば、下端）にはそれぞれ、山折線を介して側面底板９９、妻板舌片１０１、側面底板１０２、妻板舌片１０３が連設している。また、側面板９１の妻板９２と連接する側の反対側（例えば、左側）には山折線を介して貼着片１０４が設けられている。また、側面板９３の上部には、組立後に側面蓋板９７と同じ高さで側方に端片１０５を突出させるための切込１０６が設けられている。
【００３０】
図６（ａ）に示すシートからサイドブロック９０を組み立てる際は、該シートを山折線に沿って山折りし、谷折線で谷折りして、サイドブロック９０の概形を形成する。また、貼着片１０４を妻板９４の縁辺に糊付けする。さらに、サイドブロック９０の底面を、ボトムロック貼りで形成する。これにより、図６（ｂ）に示すようなスライド部６０を組み立てることができる。
【００３１】
（ガイド台）
図７（ａ）及び（ｂ）は、ガイド台１１０の構成例を示す展開図と、斜視図である。なお、図７（ａ）では、山折線を一点鎖線で示し、谷折線を点線で示している。
図７（ａ）及び（ｂ）に示すように、ガイド台１１０は、例えば、厚紙、段ボールなどの紙製シート、又はプラスチック製シートを折り曲げて形成される。ガイド台１１０を構成するシートは、例えば、傾斜基板１１１と、起立板１１２、１１４、１１５、と、底板１１３、１１６、１１７と、折曲片１１８と、舌片１１９、１２０を有する。
【００３２】
例えば、傾斜基板１１１は、平面視で、略台形状の傾斜基板１１１ａと、傾斜基板１１１ａの一方向（例えば、図７（ａ）の縦方向）の一端（例えば、上端）で谷折線を介して連設する傾斜基板１１１ｂと、その他端（例えば、下端）で谷折線を介して連設する傾斜基板１１１ｃと、を有する。
傾斜基板１１１ａの台形短辺に相当する部分の近傍に切込１２１が設けられている。この切込１２１に沿って折曲片１１８を谷折りすることにより、球状カプセルの投入口となる切欠部１２２が形成される。この切欠部１２２は、図１（ａ）及び（ｂ）に示した外ケース１０内で、背面板１４（即ち、背面側の内壁部）に向かって開口するように配置される。つまり、切欠部１２２は、その開口側が背面板１４と対向するように配置されることによって、四方を囲まれた貫通した開口部となる。
【００３３】
また、図７（ａ）に示すように、傾斜基板１１１ａの一方向と直交する他方向（例えば、図７（ａ）の横方向）の一端（例えば、右端）に、山折線を介して起立板１１２が連設している。さらに、傾斜基板１１１ｂ、１１１ｃの他方向の他端（例えば、左端）にそれぞれ、山折線を介して起立板１１４、１１５が連設している。また、起立板１１２、１１４、１１５の先端にそれぞれ、山折線を介して底板１１３、１１６、１１７が連設している。傾斜基板１１１の一方向の両端（例えば、上端と下端）にそれぞれ、舌片１１９、１２０が連設している。
【００３４】
図７（ａ）に示すシートからガイド台１１０を組み立てる際は、該シートを山折線で山折りし、谷折線で谷折りする。これにより、図７（ｂ）に示すようなガイド台１１０を組み立てることができる。このガイド台１１０では、傾斜基板１１１ａ、１１１ｂ、１１１ｃがそれぞれ切欠部（開口部）１２２に向かって下に傾斜するように、起立板１１２、１１４、１１５の傾斜基板１１１ａ、１１１ｂ、１１１ｃに対するそれぞれの折曲角度や、起立板１１２、１１４、１１５の長さ（即ち、起立時の高さ）が調整されている。
なお、ガイド台１１０を外ケース１０内に配置すると、起立板１１２、１１４、１１５は外ケース１０の正面板１２及び背面板１４と接し、舌片１１９、１２０は側面板１１、１３と接する。また、底板１１３、１１６、１１７は、例えば、サイドブロック９０の上面やスライド部６０の上面と接する。
【００３５】
＜動作＞
次に、球状カプセル取出装置１００の動作例について説明する。
図８及び図９は、球状カプセル取出装置１００の動作例を示す概念図である。図８（ａ）及び図９（ａ）は斜視図であり、図８（ｂ）及び図９（ｂ）は同図（ａ）を仮想平面Ａで切断した場合の端面図である。なお、図８（ａ）及び図９（ａ）では、外ケース１０の内部を示すために球状カプセル１４０を省略して示している。
【００３６】
図８（ａ）及び（ｂ）は、外ケース１０内のガイド台１１０を床面とする収納空間１３０に複数個の球状カプセル１４０が収納され、且つ、スライド部６０が外ケース１０内に完全に収納されている状態（即ち、待機時の状態）を示している。待機時は、ガイド台１１０の切欠部（開口部）１２２とスライド部６０の貫通穴７７とが連通し、且つ、貫通穴７７と排出路４０の上端とが連通していない。つまり、貫通穴７７の上端は開き、下端は閉じた状態となっている。このため、図８（ｂ）に示すように、複数個の球状カプセル１４０のうちの１個が貫通穴７７内に配置された状態が維持される。
【００３７】
図９（ａ）及び（ｂ）は、例えばユーザーが球状カプセル１４０を取り出すときの状態（即ち、動作時の状態）を示している。動作時は、例えば、ユーザーが指先を引掛口８１引っ掛けて、スライド部６０を前方にスライドさせる。すると、待機時に貫通穴７７に配置されていた球状カプセル１４０は、貫通穴７７の後側の（側面板舌片６９、８０からなる）側部に押されて、貫通穴７７と共に前方に移動する。そして、貫通穴７７の下端と排出路４０の上端とが球状カプセル１４０が通過できる程度に連通すると、球状カプセル１４０は貫通穴７７から排出路４０に落下する。排出路４０の傾斜底板４６は、取出口３０に向かって下に傾斜しているので、球状カプセル１４０は排出路４０の上端から取出口３０まで転がりながら移動する。これにより、ユーザーは取出口３０から１個の球状カプセル１４０を取り出すことができる。
【００３８】
また、スライド部６０が前方にスライドする過程で、貫通穴７７の上端はガイド台１１０の傾斜基板１１１下に入り込み、貫通穴７７の少なくとも一部が傾斜基板１１１で塞がれる。このため、スライド部６０が前方にスライドする過程で、貫通穴７７内に別の球状カプセル１４０が供給されることを防ぐことができる。さらに、スライド部６０が前方にスライドする過程で、図９（ａ）及び（ｂ）の矢印で示すように、迫出板７４は、ガイド台１１０の切欠部（開口部）１２２内に徐々に迫り出し、スライド部６０の後端上部から背面板１４の内側壁に向けて斜め上方に延在した形となる。
【００３９】
このため、仮に、切欠部（開口部）１２２近傍で複数個の球状カプセル１４０が集まって互いに接触し、干渉し合っている場合でも、迫出板７４がこれらを斜面上側に押し上げて、その接触・干渉状態を一旦リセットすることができる。また、迫出板７４の一端は外ケース１０の背面板１４の側に固定されているので、スライド部６０の前方へのスライド量も所定の長さに制限することができる。
【００４０】
ユーザーは、取出口３０から１個の球状カプセル１４０を取り出した後、スライド部６０を後方にスライドさせて元の位置（即ち、図８（ａ）及び（ｂ）に示した待機時の位置）に戻す。スライド部６０が待機時の位置に戻ると、貫通穴７７の上端は開き、下端は閉じた状態となる。このため、図８（ｂ）に示したように、収納空間１３０に球状カプセル１４０が残っている場合は、その残りの球状カプセル１４０のうち１個が貫通穴７７内に配置されることとなる。
この実施形態では、ガイド台１１０が本発明の床面板に対応し、球状カプセルが本発明の球状物品に対応している。また、球状カプセル取出装置１００が本発明の球状物品取出装置に対応している。
【００４１】
＜実施形態の効果＞
本発明の実施形態は、以下の効果を奏する。
（１）収納空間１３０の床面の切欠部（開口部）１２２は、外ケース１０の背面板１４に隣接した位置に設けられる。これにより、図１０（ａ）及び（ｂ）に示すように、切欠部（開口部）１２２から見て、球状カプセルが集まる範囲を背面板１４から内側の１８０°に制限することができ、複数個の球状カプセルが切欠部（開口部）１２２の周辺で互いに接触し、干渉し合うことを抑制することができる。これにより、球状カプセルを切欠部（開口部）１２２から下へ容易に落下させることができるので、球状カプセルの取り出しの再現性を高めることができる。
【００４２】
（２）また、スライド部６０が前方にスライドする過程で、迫出板７４は、ガイド台１１０の切欠部（開口部）１２２内に迫り出してくる。これにより、切欠部（開口部）１２２近傍で複数個の球状カプセル１４０が集まって互いに接触し、干渉し合っている場合でも、迫出板７４がこれらを斜面上側に押し上げて、その接触・干渉状態を一旦リセットすることができる。つまり、迫出板７４により、球状カプセルの引っ掛かりを解消することができる。仮に、球状カプセルが引っ掛かっている場合でも、スライド部６０を１回又は複数回、前後方向にスライドさせることによって、球状カプセルを移動させることができ、その引っ掛かりを解消することができる。
【００４３】
（３）また、迫出板７４は、スライド部６０の後端上部から背面板１４の側へ延在し、その先端が背面板舌片１８に固定される。これにより、スライド部６０の前方へのスライド量を所定の長さに制限することができる。つまり、スライド部６０を前方に引き出し過ぎて、正面板１２から脱落することを防ぐことができる。
【００４４】
（４）また、排出路４０及びスライド部６０の両側にサイドブロック９０が配置される。これにより、排出路４０及びスライド部６０と、側面板１１、１３との間の隙間を埋めることができ、排出路４０及びスライド部６０が左右へ横ずれすることを防ぐことができる。
【００４５】
（５）また、球状カプセル取出装置１００は組立式であり、その各部品が例えば厚紙、段ボールなどの紙製シート、又はプラスチック製シートからなる。このため、球状カプセル取出装置１００は軽くて持ち運びが容易であり、廃棄や、資源のリサイクル使用も容易である。また、各部品は、それぞれ独立したシート材からなるので、組立も容易である。
【００４６】
＜変形例＞
なお、上記の実施形態では、ガイド台１１０の切欠部（開口部）１２２を、背面板１４に隣接する位置であって、側面板１１、１３からほぼ等距離の位置（即ち、中間位置）に設ける場合について説明した。即ち、切欠部（開口部）１２２を、ガイド台１１０の縁の一辺を切欠いた形状とする場合について説明した。しかしながら、本発明はこれに限定されるものではない。
【００４７】
例えば、図１１（ａ）に示すように、切欠部（開口部）１２２は、左右の隅、例えば、背面板１４と側面板１１の両方に隣接する位置に設けてもよい。即ち、切欠部（開口部）１２２を、ガイド台１１０の角を切欠いた形状としてもよい。この場合は、図１１（ｂ）に示すように、取出口３０や排出路、スライド部６０もそれぞれ、側面板１１に隣接する位置に配置する。これにより、上記の実施形態の効果（１）〜（５）と同様の効果を奏する。
また、図１１（ａ）及び（ｂ）に示す変形例では、サイドブロックを、排出路及びスライド部６０と、側面板１３との間にのみ配置すればよい。サイドブロックの必要個数が１つで済むため、部品点数の低減に寄与することができる。
【００４８】
＜その他＞
なお、本発明は、上記の実施形態に限定されうるものではない。当業者の知識に基づいて実施形態に設計の変更等を加えることが可能であり、そのような変形が加えられた態様も本発明の範囲に含まれる。
【符号の説明】
【００４９】
１０  外ケース
１１、１３、４２、４４、６２、６４、９１、９３  側面板
１２、７０  正面板
１４  背面板
１５、１７、４７、４８、６８、６９、７９、８０  側面板舌片
１６  蓋板
１８  背面板舌片
１９  蓋板舌片
２０  端片挿入口
２１、２３、９９、１０２  側面底板
２１ａ、４６ａ、６９ａ、７５、７６ａ、８０ａ、１０５  端片
２２  正面底板
２４  背面底板
２５、２６、２８、５３、７３、７８、１０６、１２１  切込
２７、４９、６６、１０４  貼着片
２９、５１、７２、７６、１１８  折曲片
３０  取出口
３１  引出口
３２  正面切欠部
４０  排出路
４１、６１  下面板
４３、６３  上面板
４５、９２、９４  妻板
４６  傾斜底板
４６ｂ  挿入口
５０  傾斜側板
５２  上端開口
５４  差入口
５５  凸部
６０  スライド部
６５、７１、１１９、１２０  舌片
６７  差入口
７４  迫出板
７５ａ  側端
７７  貫通穴
８１  引掛口
９０  サイドブロック
９５、９７  側面蓋板
９６、９８、１０１、１０３  妻板舌片
１００  球状カプセル取出装置
１１０  ガイド台
１１１、１１１ａ〜１１１ｃ  傾斜基板
１１２、１１４、１１５  起立板
１１３、１１６、１１７  底板
１２２  切欠部（開口部）
１３０  収納空間
１４０  球状カプセル
【図１】
2014237474.tif 000003
【図２】
2014237474.tif 000004
【図３】
2014237474.tif 000005
【図４】
2014237474.tif 000006
【図５】
2014237474.tif 000007
【図６】
2014237474.tif 000008
【図７】
2014237474.tif 000009
【図８】
2014237474.tif 000010
【図９】
2014237474.tif 000011
【図１０】
2014237474.tif 000012
【図１１】
2014237474.tif 000013
【図１２】
2014237474.tif 000014